(57)【要約】【課題】自然放射線や宇宙線の被爆を受けて、潜像の形成が蓄積され、本来目的とする荷電素粒子の飛跡解析にとって、邪魔なノイズとなる飛跡が形成されるのを極力防ぐことが可能な荷電素粒子の飛跡検出用ハロゲン化銀感材の保管方法及び輸送方法を提供すること。【解決手段】荷電素粒子の飛跡検出用ハロゲン化銀感材（例えばロール状感材１０）を、その乳剤面が重力方向と略平行になるようにして保管する荷電素粒子の飛跡検出用ハロゲン化銀感材の保管方法、及び輸送方法である。【選択図】　図２
2004133193.tif 000002
【特許請求の範囲】
【請求項１】
荷電素粒子の飛跡検出用ハロゲン化銀感材の保管方法であって、
当該感材を、その乳剤面が重力方向と略平行になるようにして保管することを特徴とする荷電素粒子の飛跡検出用ハロゲン化銀感材の保管方法。
【請求項２】
所定の幅にスリットしたロール状の感材を、ロール軸が重力方向と略平行になるようにロール端面置きした状態で保管することを特徴とする請求項１に記載の荷電素粒子の飛跡検出用ハロゲン化銀感材の保管方法。
【請求項３】
所定の長さにカットされたシート状感材を、重力方向に立てた状態で保管することを特徴と請求項１に記載の荷電素粒子の飛跡検出用ハロゲン化銀感材の保管方法。
【請求項４】
所定の枚数を束ねて遮光防湿包装材料により包装したシート状感材の包装体を、ダンボール箱に梱包して保管することを特徴とする請求項３に記載の荷電素粒子の飛跡検出用ハロゲン化銀感材の保管方法。
【請求項５】
荷電素粒子の飛跡検出用ハロゲン化銀感材の輸送方法であって、
当該感材を、その乳剤面が重力方向と略平行になるようにして輸送することを特徴する荷電素粒子の飛跡検出用ハロゲン化銀感材の輸送方法。
【請求項６】
所定の長さにカットされたシート状感材を、重力方向に立てた状態で輸送することを特徴と請求項５に記載の荷電素粒子の飛跡検出用ハロゲン化銀感材の輸送方法。
【請求項７】
所定の枚数を束ねて遮光防湿包装材料により包装したシート状感材の包装体を、ダンボール箱に梱包して輸送することを特徴とする請求項６に記載の荷電素粒子の飛跡検出用ハロゲン化銀感材の輸送方法。
【発明の詳細な説明】
【０００１】
【発明の属する技術分野】
本発明は、荷電素粒子の飛跡を記録、検出するための原子核乾板である荷電素粒子の飛跡検出用ハロゲン化銀感材の保管方法及び輸送方法に関する。
【０００２】
【従来の技術】
従来、宇宙線や原子核反応の荷電素粒子の飛跡を記録し、その特性を解析研究するための手段のひとつとして原子核乾板が利用されてきた（写真化学便覧　上巻１１．４節、下巻４．１節　丸善（株）発行あるいは物理学選書７　放射線計測学　第６章３節　裳華房合名会社発行等参照）。この原子核乾板は、通常、ガラス板あるいはプラスチックフィルムなどの透明支持体の片面あるいは両面に数十から数百μｍの厚さにハロゲン化銀乳剤を高密度で塗布したものである（荷電素粒子の飛跡検出用ハロゲン化銀感材）。
【０００３】
この原子核乾板では、荷電粒子がハロゲン化銀乳剤中のハロゲン化銀結晶内を通過するときハロゲン化銀結晶がエネルギーを受け電離作用によって発生した電子によりその結晶内に潜像が形成される。電子線やα線などの荷電粒子ではその飛跡に沿ってハロゲン化銀粒子に潜像が形成される。一方γ線やＸ線ではその飛跡に沿って直接潜像が形成されるのではなく、光電効果やコンプトン効果などにより生じた電子の飛跡上に潜像が形成される。
【０００４】
潜像の形成された原子核乾板は、現像処理をすることによって黒化銀として可視化される。可視化された黒化銀粒子は光学顕微鏡で観察することによって、その飛跡をとらえ、荷電素粒子等の種類と性質を識別することが可能となる。π中間子や、ミュー粒子、τ粒子、チャーム粒子などを直接捕らえることができる原子核乾板の、素粒子物理学の進歩に貢献した役割は大きい。
【０００５】
ところで、従来、ハロゲン化銀感材は、支持体に乳剤を塗布して幅広のロール状にし、その後、必要な幅にスリットして、加工の途中状態である所定幅のロール状（通常、パンケーキ状態或いは小巻状態という）にして暗箱台車にそのロールを立てた状態（ロール軸を重力方向に対して略直交した状態）で保管していた（例えば、特開平１０−２７９１４１号公報の段落番号［００１８］及び図４参照）。その後、製品にするためには、必要なシートの長さにカットして、遮光防湿包装をし、ダンボールに詰める加工をしている。このように、パンケーキ状態で暗箱台車にロールを立てた状態で保管するのは、保管スペース、取り扱い作業性等の問題から通常に行われていた。
【０００６】
【特許文献１】
特開平１０−２７９１４１号公報
【０００７】
【発明が解決しようとする課題】
しかし、上述した原子核乾板の場合、例えば、パンケーキ状態で暗箱台車にロールを立てた状態で保管すると、パンケーキ状態のロールはその上側と下側の乳剤面は、宇宙線（荷電素粒子）を面で受ける状態になるため、宇宙線の被爆量が多く、荷電素粒子の飛跡解析にとって、邪魔なノイズとなる飛跡が多く形成され、正確な精度が得られないという問題が生じていた。
【０００８】
従って、本発明は、前記従来における諸問題を解決し、以下の目的を達成することを課題とする。即ち、本発明の目的は、自然放射線や宇宙線の被爆を受けて、潜像の形成が蓄積され、本来目的とする荷電素粒子の飛跡解析にとって、邪魔なノイズとなる飛跡が形成されるのを極力防ぐことが可能な荷電素粒子の飛跡検出用ハロゲン化銀感材の保管方法及び輸送方法である。
【０００９】
【課題を解決するための手段】
上記課題は、以下の手段により解決される。即ち、本発明は、
（１）　荷電素粒子の飛跡検出用ハロゲン化銀感材の保管方法であって、
当該感材を、その乳剤面が重力方向と略平行になるようにして保管することを特徴とする荷電素粒子の飛跡検出用ハロゲン化銀感材の保管方法。
（２）　所定の幅にスリットしたロール状の感材を、ロール軸が重力方向と略平行になるようにロール端面置きした状態で保管することを特徴とする前記（１）に記載の荷電素粒子の飛跡検出用ハロゲン化銀感材の保管方法。
（３）　所定の長さにカットされたシート状感材を、重力方向に立てた状態で保管することを特徴と前記（１）に記載の荷電素粒子の飛跡検出用ハロゲン化銀感材の保管方法。
（４）　所定の枚数を束ねて遮光防湿包装材料により包装したシート状感材の包装体を、ダンボール箱に梱包して保管することを特徴とする前記（３）に記載の荷電素粒子の飛跡検出用ハロゲン化銀感材の保管方法。
（５）　荷電素粒子の飛跡検出用ハロゲン化銀感材の輸送方法であって、
当該感材を、その乳剤面が重力方向と略平行になるようにして輸送することを特徴する荷電素粒子の飛跡検出用ハロゲン化銀感材の輸送方法。
（６）　所定の長さにカットされたシート状感材を、重力方向に立てた状態で輸送することを特徴と前記（５）に記載の荷電素粒子の飛跡検出用ハロゲン化銀感材の輸送方法。
（７）　所定の枚数を束ねて遮光防湿包装材料により包装したシート状感材の包装体を、ダンボール箱に梱包して輸送することを特徴とする前記（６）に記載の荷電素粒子の飛跡検出用ハロゲン化銀感材の輸送方法。
【００１０】
【発明の実施の形態】
以下、本発明を図面を参照しつつ詳細に説明する。なお、実質的に同じ機能を有するものは、全図面通して、同じ符号を付与して説明し、その説明を省略することがある。
【００１１】
本実施形態では、まず、乳剤を塗布した透明支持体（例えば１１６０ｍｍ×長さ８５０ｍ）に乳剤を塗布して感材を作製し、これを幅広のロール状にする。そして、図１に示すように、これを、所定の幅にスリット（例えば幅９９．６ｍｍ）し、所定幅のロール状のパンケーキ状態する（このパンケーキ状態の感材をロール状感材１０という）。
【００１２】
そして、図２に示すように、パンケーキ状態のロール状感材１０を、平板パレット１２にロール軸が重力方向と略平行になるように、ロール端面がパレット面と当接させて置く（ロール端面置き）。平板パレット１２は、パンケーキのエッジを傷めないように、例えばビロード布で覆われたクッション材１４を貼り付けてある。また、平板パレット１２には、ロール状感材１０を端面置き或いは取出し易いように、対向する側端部周縁に切欠き１６が設けられている。
【００１３】
平板パレット１２に端面置きされたロール状感材１０は、例えば、人手によりリフター２０まで運ばれ、図３に示すように、当該リフター２０が上下に可動することにより、保管棚２２の各棚へと移載され、例えば保管条件２３℃ＲＨ６３％で保管される。保管棚２２の棚は、例えば、５〜２０列、４〜６段の棚を設けており、その保管スペースや作業スペースを有効利用している。
【００１４】
ここで、リフター２０及び保管棚２２の各棚底にはローラレール２４が敷かれており、ロール状感材１０を端面置きした平板パレット１２をスライドさせて、容易に保管棚２２の各棚へと移載或いは取出されるようにしてある。ロール状感材１０は、例えば１つの重量が約２５ｋｇと重いため、このようにスライドさせて保管棚２２の各棚へと移載或いは取出されるようにすることで、その取り扱い作業性が向上する。
【００１５】
保管棚２２により保管されたロール状感材は、加工工程で、所定の長さにカット（例えば１２５ｍｍ）され、シート状になる（シート状感材２６）。このシート状感材２６は、図示しないが、例えば２９枚を束ねて１単位とし、それをコの字状に形成した紙製の当て板で保護して、遮光防湿包装袋（遮光防湿包装材料）に密封包装される（シート状感材包装体２８）。そして、図４に示すように、このシート状感材包装体２８（図中、シート状感材２６は点線で示す）を、重力方向に立てた状態でダンボール箱３０に詰めて梱包する。
【００１６】
ここで、遮光防湿包装袋（遮光防湿包装材料）は、例えば、ＯＰＰ４０μｍ／ＰＥ１３μｍ／ＡＬ箔７μｍ／ＰＥ１３μｍ／黒ＰＥ４５μｍの層構成のものを使用することができる。なお、遮光防湿包装材料としては、これに限られず、例えば、特公平２−２７００号公報、特開平８−２５４７９３号公報で示されている包装材料等を使用することができる。
【００１７】
上記シート状感材は、このようなダンボール箱に詰められた状態で、保管、そして輸送される。
【００１８】
本実施形態では、乳剤面が重力方向と略平行になるように感材を保管・輸送するので、多くの宇宙線（荷電素粒子）は乳剤面に対して鋭角に入射することとなる。このため、飛跡解析のノイズとなる飛跡が形成されるのを極力防ぐことが可能となる。荷電素粒子の飛跡解析では、通常、感材の乳剤面の法線方向に対して±４００ｍｒａｄ以内に入射する宇宙線を測定するため、宇宙線（荷電素粒子）を面で受けると、上記範囲内の角度で入射する宇宙線（荷電素粒子）が多くなり、これが飛跡解析のノイズとなる。本実施形態では、乳剤面を重力方向と略平行にすることで、上記範囲内の角度で入射する宇宙線を極力抑え、飛跡解析のノイズとなる飛跡が形成されるのを極力防ぐ。
【００１９】
本実施形態では、対象となる感材は、荷電素粒子の飛跡検出用ハロゲン化銀感材（原子核乾板）であり、その具体的構成は以下に示す感材（以下、飛跡検出用感材という）が好適に適用できる。以下、本実施形態に好適に適用される飛跡検出用感材について説明する。
【００２０】
本実施形態で好適に適用される飛跡検出用感材は、透明支持体の両面にそれぞれ少なくとも１層のハロゲン化銀乳剤層と少なくとも１層の親水性保護コロイド層を有し、ハロゲン化銀乳剤層中にベンゾトリアゾール類から選ばれた化合物を銀１モルあたり１×１０−３〜１×１０−２モル含有する飛跡検出用感材である。
【００２１】
この飛跡検出用感材は、フェーディング処理適性が優れ、目的の荷電素粒子の飛跡の記録、検出の信頼性が高く、原子核乾板として安定で取り扱い性が優れるため、本実施形態に適用することで、さらに信頼性の高い測定を可能な飛跡検出用感材をユーザーに供給することができる。以下、この飛跡検出用感材についてさらに詳細に説明する。
【００２２】
飛跡検出用感材に用いられる透明支持体は、セルローストリアセテート、セルロースジアセテート、ニトロセルロール、ポリスチレン、ポリエチレンテレフタレート、ポリエチレンナフタレートなどからなる５０〜３００μｍのフィルムあるいはガラス板が用いられる。特に好ましくは、セルローストリアセテート、ポリスチレン、ポリエチレンテレフタレートフィルムである。これらの支持体は、公知の方法でコロナ放電処理されてもよく、また必要に応じ公知の方法で下引き加工処理されてもよい。また温度や湿度の変化に対する寸法安定性を高めるために、ポリ塩化ビニリデン系ポリマーを含む防水層を設けても良い。
【００２３】
飛跡検出用感材に用いられるハロゲン化銀乳剤のハロゲン組成は、結晶内の電子密度の高い臭化銀または沃臭化銀である。塩化銀はかぶりが高くなりやすく、かつ荷電粒子に対する飛跡感度が低いため好ましくない。沃臭化銀の場合、沃化銀の含有率は好ましくは５モル％以下、より好ましくは０．０５〜３．０モル％の範囲である。粒子サイズは大きいほうが個々の粒子の感度は高くなるが、単位体積当たりの粒子数が少なくなるので、現像銀粒子数（Ｇｒａｉｎ　Ｄｅｎｓｉｔｙ）は低下してしまう。
【００２４】
このため０．４μｍ以下のサイズの乳剤が好ましく用いられる。より好ましくは０．１〜３．０μｍの単分散乳剤であり、（粒子サイズの標準偏差／平均粒子サイズ）×１００で表される変動係数が２０％以下好ましくは１５％以下のものである。ハロゲン化銀粒子の形状は立方体、８面体、１４面体が好ましい。
【００２５】
ハロゲン化銀乳剤の塗布量は、荷電素粒子の飛跡検出用ハロゲン化銀感材を使用する目的によって異なるが、厚みが薄すぎると飛跡の読み取りが困難になり、厚いと大量生産するとき、乾燥がネックになる。好ましくは、ハロゲン化銀が片面あたり０．１〜１．０モル／ｍ２、ゼラチンバインダーは、好ましくは１０〜１００ｇ／ｍ２の量であり、膜厚で２０〜１００μｍである。塗布量が多いとき、２〜４回重ねて塗布することは有効な手段である。
【００２６】
飛跡検出用感材には、乳剤層のほかに、親水性の保護コロイド層を有する。保護コロイド層には平均粒子サイズ２μｍ以下のマット剤を有することが好ましい。マット剤の平均粒子サイズは０．５〜２μｍが好ましい。これはハロゲン化銀乳剤シートを製造する際あるいは、このシートを取り扱う際にスリかぶりを防止すること、フィルム同士の接着を防止することを目的としている。マット剤の平均サイズが３μｍを越えると飛跡観察に影響を与えるほか、シート同士が重ねられたときに黒ポツ状圧力かぶりが発生して好ましくない。保護コロイド層の厚みは０．５〜２μｍが好ましい。保護コロイド層は好ましくはハロゲン化銀乳剤層の上に塗設される。
【００２７】
マット剤の添加量は保護層体積１ｃｍ３あたり１０〜１００ｍｇが好ましい。マット剤としては、米国特許２，７０１，２４５号、同２，９９２，１０１号、同４，１４２，８９４号、同４，３９６，７０６号に記載のポリメチルネタクリレートのホモポリマー、メチルメタクリレートとメタクリル酸のコポリマー、シリカ、硫酸バリウムや硫酸ストロンチウムあるいは酸化マグネシウムなどからなるものが用いられる。
【００２８】
ハロゲン化銀乳剤層中にはベンゾトリアゾール類からえらばれた化合物を銀１モルあたり１×１０−３〜１×１０−２モル含有する。ベンゾトリアゾール化合物の具体例としては、５−メチルベンゾトリアゾール、５−ブチルベンゾトリアゾール、５−クロロベンゾトリアゾール、５−ブロモベンゾトリアゾール、５，６−ジメチルベンゾトリアゾール、５，６−ジクロロベンゾトリアゾール、４，６−ジクロロベンゾトリアゾール、５−ニトロベンゾトリアゾール、４−ニトロ−６−クロロベンゾトリアゾール、５−カルボキシベンゾトリアゾール、５−アミノベンゾトリアゾール、５−スルホベンゾトリアゾール、ベンゾトリアゾール、４，５，６−トリクロロベンゾトリアゾールなどが挙げられる。中でも特に好ましいのは、５−メチルベンゾトリアゾールまたはベンゾトリアゾールである。
【００２９】
このベンゾトリアゾール化合物は、かぶりの上昇を防止しかつ、銀核からなる潜像核を高湿度条件下で効率よく破壊し、宇宙線被曝による飛跡を消去するのに有効な添加剤である。すなわち、高湿度条件下において潜像退行が大きく、通常の湿度から低湿度条件下（６５％以下）では性能が安定で、潜像退行の処理を行った後の感度が変化しないハロゲン化銀乳剤層を有する飛跡検出用感材を供給できる。
【００３０】
飛跡検出用感材には、製造工程、保存中あるいは、現像処理中のかぶりを防止し、あるいは写真性能を安定化する目的で種々の化合物を含有させることができる。メルカプトテトラゾール類、メルカプトピリミジン類、メルカプトトリアジン類、オキシム類、アザインデン類、ジヒドロキシベンゼン類、ジヒドロキシナフタレン類、ベンゼンチオスルホン酸、ベンゼンスルフォン酸などのようなかぶり防止剤または安定剤として知られた多くの化合物から選択して添加することが好ましい。
【００３１】
飛跡検出用感材に用いられるハロゲン化銀乳剤の調製方法は、ハロゲン化銀乳剤の分野で公知の種々の手法が用いられる。たとえがＰ．Ｇｌａｆｋｉｄｅｓ著「Ｃｈｉｍｉ　ｅｔ　Ｐｈｙｓｉｑｕｅ　Ｐｈｏｔｏｇｒａｐｈｉｑｕｅ」（Ｐａｕｌ　Ｍｏｎｔｅｌ社刊１９７６）、Ｇ．Ｆ．Ｄｕｆｆｉｎ著「Ｐｈｏｔｏｇｒａｆｉｃ　Ｅｍｕｌｓｉｏｎ　Ｃｈｅｍｉｓｔｒｙ」（Ｔｈｅ　Ｆｏｃａｌ　Ｐｒｅｓｓ社刊１９６６）、Ｖ．Ｌ．Ｚｅｌｉｋｍａｎ　ｅｔ　ａｌ著「Ｍａｋｉｎｇ　ａｎｄ　Ｃｏａｔｉｎｇ　Ｐｈｏｔｏｇｒａｐｈｉｃ　Ｅｍｕｌｓｉｏｎ」（Ｔｈｅ　Ｆｏｃａｌ　Ｐｒｅｓｓ社刊１９６４）等に記載されている方法を応用して調製することができる。
【００３２】
水溶性銀塩（硝酸銀水溶液）と水溶性ハロゲン塩を反応させハロゲン化銀粒子を得る形式としては、片側混合法、同時混合法、それらの組み合わせのいずれでもよい。同時混合法のひとつの形式として、ハロゲン化銀の生成される液相中の銀イオン濃度を一定に保つ方法、すなわちコントロールダブルジェット法をもちいるができる。また、アンモニア、チオエーテル、チオ尿素化合物、チアゾリンチオン類などのいわゆるハロゲン化銀溶剤を使用して粒子形成させることもできる。コントロールダブルジェット法およびハロゲン化銀溶剤を使用した粒子形成方法は、結晶形が規則的で粒子サイズの揃った単分散のハロゲン化銀乳剤をつくるのに有効な手段である。
【００３３】
ハロゲン化銀粒子の形成過程において、イリジウム、ロジウム、ルテニウム、鉄などのＶＩＩＩ族金属の塩や錯塩を添加して、ハロゲン化銀結晶内にドープすることができる。イリジウムや鉄錯体を含有させることにより、荷電粒子に対する感度（ＧＤを指標とする）を高めることができ有効な手段である。
【００３４】
飛跡検出用感材に用いられるハロゲン化銀乳剤は金増感およびイオウ増感をほどこしたものが用いられる。金増感およびイオウ増感は感度を高めるのに有効な手段である。金増感剤としてはたとえばカリウムクロロオーライト、カリウムオーリチオシアネート、オーリックトリクロライドなどが挙げられる。イオウ増感剤としては種々のイオウ化合物、たとえばチオ硫酸塩、チオ尿素類、チアゾール類、チオスルホン酸類などが挙げられる。
【００３５】
好ましい金増感剤およびイオウ増感剤の添加量は化学熟成を行う温度、時間、ｐＨおよびハロゲン化銀粒子の大きさなどによってことなるが、銀１モルあたり１０−７〜１０−２モルの範囲が好ましく用いられる。
【００３６】
飛跡検出用感材のハロゲン化銀乳剤層および親水性保護コロイド層中には無機あるいは有機のゼラチン硬膜剤を添加することができる。たとえばアルデヒド類（ホルムアルデヒド、グリオキザール、グルタールアルデヒドなど）、活性ビニル化合物（１，３−ジビニルスルホニル−２−プロパノール、１，２−ビス（ビニルスルホニルアセトアミド）エタン、ビス（ビニルスルホニル）メタン、１，３，５−トルアクリロイル−ヘキサヒドロ−ｓ−トリアジンなど）、活性ハロゲン化合物（２，４−ジクロロ−６−ヒドロキシ−ｓ−トリアジンなど）、クロム塩（クロム明礬、酢酸クロムなど）、ムコクロム酸などが挙げられる。なかでも活性ビニル化合物、活性ハロゲン化合物が好ましく用いられる。
【００３７】
飛跡検出用感材のハロゲン化銀乳剤層および親水性保護コロイド層中には、写真感材に用いられている界面活性剤、帯電防止剤、すべり性改良剤、可塑剤、ｐＨ調整剤、現像促進剤など各種の添加剤を含有させることができる。
【００３８】
以上、説明した飛跡検出用感材は、既存の原子核乾板の処理方法として知られている、現像主薬としてアミドールを用いる現象方法や、特願２００１−２８５９６２に記載の現像処理が施される。しかし、公知の現像処理で用いるアミドール現像主薬は酸化されやすく、使用する直前に調液して用いなければならないという欠点をもっているため、特願２００１−２８５９６２に記載された、一般式（Ａ）で表される、アスコルビン酸およびその誘導体を現像主薬として含有する現像液を用いる現像処理を施すことで、再現性よく安定な処理が可能となる。
【００３９】
なお、上記実施の形態に係る本発明の荷電素粒子の飛跡検出用ハロゲン化銀感材の保管方法及び輸送方法においても、限定的に解釈されるものではなく、本発明の要件を満足する範囲内で実現可能であることは、言うまでもない。
【００４０】
【実施例】
以下、本発明を実施例に基づきさらに詳細に説明する。
−実施例１−
〔ハロゲン化銀乳剤の調製〕
以下の方法でハロゲン化銀乳剤を調製した。
2004133193.tif 000003
【００４１】
上記１〜５液を準備した。５５℃保った１液中に同時混合法で２液と３液を攪拌しながら３０分間で添加し核粒子を形成した。続いてコントロールダブルジェット法でｐＡｇを８．５に保ちつつ、４液と５液を攪拌しながら２０分間で添加した。５液は４液の添加終了と同時に終了させた。
【００４２】
その後、常法にしたがってフロキュレーション法によって水洗し、ゼラチンを１３００ｇ加え、ｐＨ６．５に調整した。チオ硫酸ナトリウムを０．１ｇと塩化金酸０．２５ｇおよびベンゼンチオスルホン酸ナトリウム０．５ｇを添加して６０℃で５０分間化学増感を施した。防腐剤としてフェノキシエタノールを１００ｇ加え、２０ｋｇの乳剤を得た。
形成された沃臭化銀粒子は平均粒子サイズ０．２μｍ、変動係数９％の単分散乳剤であった。
【００４３】
〔塗布試料（Ａ−Ｉ）の作製〕
上記乳剤１ｋｇに５−メチルベンゾトリアゾールを０．６ｇ（銀１モルあたり３．６×１０−３モル相当）、可塑剤としてトリス（２−ヒドロキシエチル）イソシアヌレートを４．５ｇ、かぶり防止および安定剤として１−フェニル−５−メルカプトテトラゾールを１０ｍｇ、１，５−ジヒドロキシ−２−ベンズアルドキシムを１．０ｇ、２，３−ジヒドロキシナフタレンを０．２５ｇ、硬膜剤として１，２−ビス（ビニルスルホニルアセトアミド）エタンを０．２５ｇ添加、混合して乳剤層塗布液（ａ）を作製した。
【００４４】
親水性保護コロイド層塗布液はゼラチン１００ｇあたり、防腐剤としてフェノキシエタノールを３．５ｇ、粒径１０〜２０ミリμｍのコロイダルシリカを１０ｇおよびｐ−ドデシルベンゼンスルホン酸ナトリウム１ｇ、Ｎ−パーフルオロオクタンスルホニル−Ｎ−プロピルグリシンを０．３ｇ添加し、さらにマット剤として平均粒子サイズ１μｍの硫酸ストロンチウム４ｇ添加して保護層塗布液（Ｉ）を作製した。
【００４５】
２００μｍのセルローストリアセテート透明支持体に上記作製した乳剤層塗布液（ａ）を１回の塗布で銀量２５ｇ／ｍ２および保護層塗布液（Ｉ）をゼラチン１．０ｇ／ｍ２となるように塗布乾燥し、両面に繰り返し２回ずつ塗布した。乾燥後２５℃６０％の環境下で調湿し、片面あたり銀量５０ｇ／ｍ２、膜厚４５
μｍ（ゼラチン量約３５ｇ／ｍ２）からなる塗布試料（Ａ−Ｉ）を作製した。
【００４６】
得られた塗布試料（Ａ−Ｉ）を、遮光袋に詰めて、飛跡検出用感材ロール（パンケーキ状態）を作製した。
【００４７】
〔保管〕
飛跡検出用感材ロールを、その乳剤面が重力方向に略平行になるように置いて（端面置き）、１ヶ月間、３ヶ月間保管した。同様に、飛跡検出用感材ロールを、その乳剤面が重力方向に略垂直になるように置いて（縦置き）、１ヶ月間、３ヶ月間保管した。なお、保管条件は、２３℃ＲＨ６３％としした。
【００４８】
〔現像処理〕
保管後の飛跡検出用感材を、以下に示す工程で現像処理した。
１予浸液　　　　　２０℃　　　１５分
２現像液　　　　　２０℃　　　２５分
３停止液　　　　　２０℃　　　１０分
４定着液　　　　　２０℃　　　３０分
５水洗　　　　　　２０℃　　　３０分
６乾燥　　　　　　２５℃　相対湿度６０％で自然乾燥
【００４９】
各液の処方は以下のとおりである。
2004133193.tif 000004
【００５０】
〔宇宙線量の測定〕
飛跡検出用感材の中央を、顕微鏡により５ｍｍ×５ｍｍ領域スキャンし、乳剤面の法線方向に対してフィルムのＸ軸およびＹ軸方向に±４００ｍｒａｄ以内に入射する宇宙線の飛跡本数（宇宙線量）を測定した。結果を表１に示す。
【００５１】
【表１】
2004133193.tif 000005
【００５２】
表１の結果から、１ヶ月保管後での宇宙線量を比較すると、端面置き保管（即ち、感材の乳剤面が重力方向に対して略平行な状態で保管）することで、縦置き保管（感材の乳剤面が重力方向に対して略垂直な状態で保管）に対して約１／３に減少することがわかる。また、３ヶ月保管後の比較では約１／７に減少しているわかる。また、１ヶ月保管後と３ヶ月保管後を比較してみると、縦置き保管の場合、約２倍の宇宙線量が増加しているのに対して、端面置き保管の場合、宇宙線量がほとんど変化していないことがわかる。尚、保管する前の感材ロールの測定では、同一の測定条件で宇宙線量は１２２０本を示した。それから判断すると、感材ロールを端面置き保管することで、１〜３ヶ月経時ではほとんど宇宙線の影響を受けていないことがわかる。
【００５３】
これらのことは、所定の幅にスリットしたロール状の飛跡検出用感材をロール軸が重力方向と略平行になるようにロール端面置きした状態で保管したり、所定の長さにカットされたシート状の飛跡検出用感材を重力方向に立てた状態で保管・輸送することで、宇宙線の影響が抑えられることを証明している。
【００５４】
【発明の効果】
以上、本発明によれば、自然放射線や宇宙線の被爆を受けて、潜像の形成が蓄積され、本来目的とする荷電素粒子の飛跡解析にとって、邪魔なノイズとなる飛跡が形成されるのを極力防ぐことが可能な荷電素粒子の飛跡検出用ハロゲン化銀感材の保管方法及び輸送方法を提供することができる。
【図面の簡単な説明】
【図１】実施の形態における、所定の幅にスリットされたロール状感材を示す概略図である。
【図２】実施の形態における、ロール状感材が平板パレットに端面置きされる様子を示す概略図である。
【図３】実施の形態における、ロール状感材が保管棚に保管される様子を示す概略図である。
【図４】実施の形態における、所定の長さにカットされたシート状感材がダンボール詰めする様子を示す概略図である。
【符号の説明】
１０　　ロール状感材
１２　　平板パレット
１４　　クッション材
２０　　リフター
２２　　保管棚
２４　　ローラレール
２６　　シート状感材
２８　　シート状感材包装体
３０　　ダンボール箱
【図１】
2004133193.tif 000006
【図２】
2004133193.tif 000007
【図３】
2004133193.tif 000008
【図４】
2004133193.tif 000009